(57)【要約】      （修正有）【課題】高い装飾性を有し情報を秘匿できる印刷物を提供する。【解決手段】印刷物ＰＴは、赤外光を反射する基材１と、基材１の上に形成された金属層２と、基材１の上に形成され赤外光を吸収する第１の吸収墨層３と、第１の吸収墨層３の少なくとも一部を覆って形成された赤外光を透過する第１の透過墨層４ａ及び金属層２の少なくとも一部を覆って形成された赤外光を透過する第２の透過墨層４ｂの少なくとも一方と、を有する。【選択図】図２
2020082454.tif 000002
【特許請求の範囲】
【請求項１】
赤外光を反射する基材と、
前記基材の上に形成された金属層と、
前記基材の上に形成され赤外光を吸収する第１の吸収墨層と、
前記第１の吸収墨層の少なくとも一部を覆って形成された赤外光を透過する第１の透過墨層及び前記金属層の少なくとも一部を覆って形成された赤外光を透過する第２の透過墨層の少なくとも一方と、
を有する印刷物。
【請求項２】
前記第１の透過墨層及び前記第２の透過墨層の両方を一体の層として備えていることを特徴とする請求項１記載の印刷物。
【請求項３】
前記第１の吸収墨層における前記第１の透過墨層で覆われた部分又は前記金属層における前記第２の透過墨層で覆われた部分が、可視光による観察で視認不能かつ赤外光による観察で視認可能であることを特徴とする請求項１又は請求項２記載の印刷物。
【請求項４】
赤外光を反射する基材と、
前記基材の上に形成された金属層と、
前記金属層の少なくとも一部を覆って形成された、赤外光を透過する第３の透過墨層と、
前記基材の上に形成された、赤外光を透過する第４の透過墨層と、
前記第４の透過墨層の上に形成された赤外光を吸収する第２の吸収墨層と、
を有する印刷物。
【請求項５】
前記第３の透過墨層及び前記第４の透過墨層の両方を一体の層として備えていることを特徴とする請求項４記載の印刷物。
【請求項６】
前記金属層における前記第３の透過墨層で覆われた部分が、可視光による観察で視認不能かつ赤外光による観察で視認可能であることを特徴とする請求項４又は請求項５記載の印刷物。
【請求項７】
赤外光を反射する基材と、
前記基材の上に形成された金属層と、
前記金属層の少なくとも一部を覆って形成された、赤外光を透過する第３の透過墨層と、
前記第３の透過墨層の上に形成された赤外光を吸収する第２の吸収墨層と、
を有する印刷物。
【請求項８】
前記金属層において、その上方が前記第３の透過墨層のみで覆われた部分が、可視光による観察で視認不能かつ赤外光による観察で視認可能であることを特徴とする請求項７記載の印刷物。
【請求項９】
前記部分が秘匿情報に対応した形状に形成されていることを特徴とする請求項３，６，８のいずれか１項に記載の印刷物。
【請求項１０】
赤外光を反射する基材の上に、金属層と赤外光を吸収する吸収墨層とを形成し、
前記金属層の少なくとも一部又は前記吸収墨層の少なくとも一部を覆うように赤外光を透過する透過墨層を形成し、
前記透過墨層を形成するときに、前記透過墨層が前記金属層を覆う部分又は前記吸収墨層を覆う部分を、秘匿情報に対応した形状で形成することを特徴とする印刷物の製造方法。
【請求項１１】
赤外光を反射する基材の上に金属層を形成し、
前記金属層の少なくとも一部を覆うように赤外光を透過する透過墨層を形成し、
前記透過墨層の上に赤外光を吸収する吸収墨層を形成し、
前記透過墨層を形成するときに、前記金属層の上方を前記透過墨層のみで覆う部分を秘匿情報に対応した形状で形成することを特徴とする印刷物の製造方法。
【発明の詳細な説明】
【技術分野】
【０００１】
本発明は、印刷物及び印刷物の製造方法に関する。
【背景技術】
【０００２】
特許文献１には、基材上に赤外線吸収インキ層で図柄を印刷形成し、この図柄の赤外線吸収インキ層の少なくとも一部を隠蔽するように赤外線透過インキ層を印刷形成する技術が記載されている。この技術により、赤外線吸収インキ層における赤外線透過インキ層で隠蔽された部分は、可視光の観察で不可視となる一方、赤外光の観察において可視化される。
すなわち、特許文献１に記載された技術により、特定の情報を可視光の観察で秘匿し赤外光の観察で取り出し可能な印刷物を製造できる。
【先行技術文献】
【特許文献】
【０００３】
【特許文献１】特許第４６４９６１３号公報
【発明の概要】
【発明が解決しようとする課題】
【０００４】
エンタテインメント性の高いゲームカードなどの印刷物は、装飾性の高さがその価値において重要な要素となる。
装飾性は、例えば、印刷物に印刷形成された図柄の可視光での見え方によって評価される。
一方、カードなどの印刷物は、所有者或いはカード固有の情報を、通常は秘匿し必要なときに取得可能にしてゲームの勝敗や認証等に利用できることが求められている。
そのため、高い装飾性と秘匿性との両方を有する印刷物を、簡単な構成及び手順で得られる技術が望まれている。
【０００５】
そこで、本発明が解決しようとする課題は、高い装飾性を有し情報を秘匿できる印刷物及び印刷物の製造方法を提供することにある。
【課題を解決するための手段】
【０００６】
上記の課題を解決するために、本発明は次の構成、手順を有する。
１）  赤外光を反射する基材と、
前記基材の上に形成された金属層と、
前記基材の上に形成され赤外光を吸収する第１の吸収墨層と、
前記第１の吸収墨層の少なくとも一部を覆って形成された赤外光を透過する第１の透過墨層及び前記金属層の少なくとも一部を覆って形成された赤外光を透過する第２の透過墨層の少なくとも一方と、
を有する印刷物である。
２）  前記第１の透過墨層及び前記第２の透過墨層の両方を一体の層として備えていることを特徴とする１）に記載の印刷物である。
３）  前記第１の吸収墨層における前記第１の透過墨層で覆われた部分又は前記金属層における前記第２の透過墨層で覆われた部分が、可視光による観察で視認不能かつ赤外光による観察で視認可能であることを特徴とする１）又は２）に記載の印刷物である。
４）  赤外光を反射する基材と、
前記基材の上に形成された金属層と、
前記金属層の少なくとも一部を覆って形成された、赤外光を透過する第３の透過墨層と、
前記基材の上に形成された、赤外光を透過する第４の透過墨層と、
前記第４の透過墨層の上に形成された赤外光を吸収する第２の吸収墨層と、
を有する印刷物である。
５）  前記第３の透過墨層及び前記第４の透過墨層の両方を一体の層として備えていることを特徴とする４）に記載の印刷物である。
６）  前記金属層における前記第３の透過墨層で覆われた部分が、可視光による観察で視認不能かつ赤外光による観察で視認可能であることを特徴とする４）又は５）に記載の印刷物である。
７）  赤外光を反射する基材と、
前記基材の上に形成された金属層と、
前記金属層の少なくとも一部を覆って形成された、赤外光を透過する第３の透過墨層と、
前記第３の透過墨層の上に形成された赤外光を吸収する第２の吸収墨層と、
を有する印刷物である。
８）  前記金属層において、その上方が前記第３の透過墨層のみで覆われた部分が、可視光による観察で視認不能かつ赤外光による観察で視認可能であることを特徴とする７）に記載の印刷物である。
９）  前記部分が秘匿情報に対応した形状に形成されていることを特徴とする３），６），８）のいずれか一つに記載の印刷物である。
１０）  赤外光を反射する基材の上に、金属層と赤外光を吸収する吸収墨層とを形成し、
前記金属層の少なくとも一部又は前記吸収墨層の少なくとも一部を覆うように赤外光を透過する透過墨層を形成し、
前記透過墨層を形成するときに、前記透過墨層が前記金属層を覆う部分又は前記吸収墨層を覆う部分を、秘匿情報に対応した形状で形成することを特徴とする印刷物の製造方法である。
１１）  赤外光を反射する基材の上に金属層を形成し、
前記金属層の少なくとも一部を覆うように赤外光を透過する透過墨層を形成し、
前記透過墨層の上に赤外光を吸収する吸収墨層を形成し、
前記透過墨層を形成するときに、前記金属層の上方を前記透過墨層のみで覆う部分を秘匿情報に対応した形状で形成することを特徴とする印刷物の製造方法である。
【発明の効果】
【０００７】
本発明によれば、高い装飾性を有し情報を秘匿できる、という効果が得られる。
【図面の簡単な説明】
【０００８】
【図１】図１は、本発明の実施の形態に係る印刷物の実施例１である印刷物ＰＴを示す平面図である。
【図２】図２は、図１におけるＳ２−Ｓ２位置での断面図である。
【図３】図３は、金属層２１，顔料墨層３１，及び染料墨層４１がそれぞれ単独で形成された印刷物ＰＴの観察方法を説明するための図である。
【図４】図４は、金属層２１の見え方を説明するための図である。
【図５】図５は、顔料墨層３１の見え方を説明するための図である。
【図６】図６は、染料墨層４１の見え方を説明するための図である。
【図７】図７は、印刷物ＰＴにおける印刷体ＰＧの、基材１が白色紙１１の場合の見え方を説明するための図であり、（ａ）は直交観察方向、（ｂ）が斜交観察方向の場合を示す。
【図８】図８は、印刷体ＰＧの、基材１が黒色紙１２の場合の見え方を説明するための図であり、（ａ）は直交観察方向、（ｂ）が斜交観察方向の場合を示す。
【図９】図９は、部分２ｂ，３ａ及び部分２ａを示す図である。
【図１０】図１０は、印刷物ＰＴの、基材１が白色紙の場合の部分２ｂ，３ａ及び部分２ａの見え方を説明するための図であり、（ａ）は直交観察方向、（ｂ）が斜交観察方向の場合を示す。
【図１１】図１１は、印刷物ＰＴの、基材１が黒色紙の場合の部分２ｂ，３ａ及び部分２ａの見え方を説明するための図であり、（ａ）は直交観察方向、（ｂ）が斜交観察方向の場合を示す。
【図１２】図１２は、本発明の実施の形態に係る印刷物の実施例２である印刷物ＰＴＢを示す平面図である。
【図１３】図１３は、図１２におけるＳ１３−Ｓ１３位置での断面図である。
【図１４】図１４は、印刷物ＰＴＢにおける印刷体ＰＧＢの、基材１Ｂが白色紙１１Ｂの場合の見え方を説明するための図であり、（ａ）は直交観察方向、（ｂ）が斜交観察方向の場合を示す。
【図１５】図１５は、印刷体ＰＧＢの、基材１が黒色紙１２Ｂの場合の見え方を説明するための図であり、（ａ）は直交観察方向、（ｂ）が斜交観察方向の場合を示す。
【図１６】図１６は、部分２Ｂｂ，３Ｂａを示す図である。
【図１７】図１７は、本発明の実施の形態に係る印刷物の実施例３である印刷物ＰＴＣを示す平面図である。
【図１８】図１８は、図１７におけるＳ１８−Ｓ１８位置での断面図である。
【図１９】図１９は、印刷物ＰＴＣにおける印刷体ＰＧＣの、基材１Ｃが白色紙１１Ｃの場合の見え方を説明するための図であり、（ａ）は直交観察方向、（ｂ）が斜交観察方向の場合を示す。
【図２０】図２０は、印刷体ＰＧＣの、基材１Ｃが黒色紙１２Ｃの場合の見え方を説明するための図であり、（ａ）は直交観察方向、（ｂ）が斜交観察方向の場合を示す。
【図２１】図２１は、部分２Ｃｂを示す図である。
【発明を実施するための形態】
【０００９】
本発明の実施の形態に係る印刷物を、実施例１，２，３それぞれの印刷物ＰＴ，ＰＴＢ，ＰＴＣにより説明する。
【００１０】
（実施例１）
図１及び図２に示されるように、実施例１の印刷物ＰＴは、基材１と、基材１の上に形成された印刷体ＰＧとを有する。印刷体ＰＧは、金属層２と顔料墨層３と染料墨層４とを有する。
この例において、印刷体ＰＧの金属層２は、基材１の表面１ａに貼着して形成された金属箔による層である。金属箔は、例えばアルミニウム箔である。
印刷体ＰＧにおいて、金属層２は円形領域として形成されている。
【００１１】
印刷体ＰＧの第１の吸収墨層である顔料墨層３は、金属層２の一部と基材１とに跨って形成された矩形の層である。
顔料墨層３は、カーボンブラックを顔料として含む墨インキの印刷によって形成されている。顔料墨層３は、カーボンブラックを含むことにより赤外光を吸収する。
顔料墨層３を形成する墨インキを、以下、顔料墨インキと称する。
顔料墨インキとして、東洋インキ株式会社製  ＦＤ  ＯニューＨＣスミを用いることができる。この顔料墨インキは、赤外光を吸収し、かつ、可視光において黒色で視認される。
【００１２】
印刷体ＰＧの染料墨層４は、染料墨層４ａ及び染料墨層４ｂの二つの部分に分けられ、染料を含み赤外光を透過する特性を有する墨インキの印刷により形成されている。染料墨層４ａ及び染料墨層４ｂをそれぞれ第１の透過墨層及び第２の透過墨層とも称する。
染料墨層４ａは、顔料墨層３上に、その一部の矩形領域を覆い、かつ図１における上下に顔料墨層３を覆わずに三角形状に突出した突出部４ａ１，４ａ１を有する領域として印刷により形成されている。突出部４ａ１，４ａ１は、基材１上に直接形成されている。
染料墨層４ｂは、金属層２の一部と基材１とに跨って印刷により形成された層である。染料墨層４ａ，４ｂを形成する墨インキを、以下染料墨インキと称する。
染料墨インキとして、東洋インキ株式会社製  ＦＤフォームＸ  カーボンレスＣＰスミを用いることができる。この染料インキは、赤外光を透過し、かつ、可視光において黒色で視認される。
染料墨層４ｂは、矩形領域として形成されている。
【００１３】
図１及び図２に示されるように、顔料墨層３において、染料墨層４に覆われた領域を部分３ａとし、覆われていない領域を部分３ｂとする。
【００１４】
印刷体ＰＧの金属層２は、金属箔で形成され入射光が正反射する層である。
そのため、金属層２は、観察方向によって異なる見え方をする。
以下の説明では、印刷体ＰＧの見え方を、印刷物ＰＴに対する直交方向及び斜交方向の２つの方向から、肉眼及び赤外線撮像装置６により観察した結果を比較して説明する。
【００１５】
詳しくは、図２に例示されるように、光源５から、基材１の表面１ａと角度θをなす方向で印刷物ＰＴに照射された光の反射光を、直交方向からの観察では、基材１の表面１ａに対し直交する方向から観察する。この場合、肉眼及び赤外線撮像装置６は、基材１及び印刷体ＰＧからの拡散反射光を観察することになる。
また、斜交方向からの観察では、光源５に対向する位置において、表面１ａに対し角度θをなす方向から観察する。この場合、肉眼及び赤外線撮像装置６は、基材１及び印刷体ＰＧからの正反射光を観察することになる。
角度θは、０°＜角度θ＜９０°を満たす角度であって例えば４５°とする。
【００１６】
図３〜図６を参照して、各層の見え方の違いについて説明する。まず、基材１の上に、金属箔，顔料墨インキ，及び染料墨インキを用いてそれぞれ単独に形成した金属層２１，顔料墨層３１，及び染料墨層４１の見え方を説明する。
具体的には、観察方向を、直交方向及び斜交方向の２つの方向とし、これらの方向と、基材１の色と、観察する光の波長（可視光ＶＬか赤外光ＩＲか）との組み合わせで比較説明する。
【００１７】
基材１は、白色紙１１及び黒色紙１２の２種とし、いずれも赤外光ＩＲを吸収せずに良好に反射するものとする。
可視光ＶＬは肉眼で観察し、赤外光ＩＲは赤外線撮像装置６により得た画像を観察する。
【００１８】
観察は、図３に示されるように、基材１（白色紙１１又は黒色紙１２）の上に、金属層２１，顔料墨層３１，染料墨層４１を独立に円形領域として形成し、光源５からの光を基材１となす角度θで当て、直交方向と正反射光を観察できる角度θの斜交方向から行った。
図４〜図６それぞれに共通して、基材１の種類及び観察方向は、（ａ）は白色紙１１かつ直交方向、（ｂ）は白色紙１１かつ斜交方向、（ｃ）は黒色紙１２かつ直交方向、（ｄ）は黒色紙１２かつ斜交方向である。
以下、直交方向及び斜交方向からの観察を、それぞれ直交方向視及び斜交方向視とも称する。
【００１９】
図４は、金属層２１の見え方を示す。
図４（ａ）に示される白色紙１１かつ直交方向視の場合、可視光ＶＬ及び赤外光ＩＲの両方とも、白地に黒灰色（網点）の金属層２１の円形領域が視認される。これは、金属層２１では入射光が正反射し、直交方向への拡散反射光がほとんど存在しないためである。
【００２０】
図４（ｂ）に示される白色紙１１かつ斜交方向視の場合、可視光ＶＬ及び赤外光ＩＲの両方とも、白地を背景に金属光沢の金属層２１の楕円形領域が視認される。これは、金属層２１では入射光が正反射し、その正反射光を観察していることによる。
図４（ｃ）に示される黒色紙１２かつ直交方向視の場合、可視光ＶＬによる観察では、黒地を背景に黒灰色（網点）の金属層２１の円形領域が、地に対し僅かな濃度差で視認される。これは、金属層２１では入射光の直交方向への拡散反射光がほとんどないことによる。
一方、赤外光ＩＲによる観察では、黒色紙１２が赤外光を反射することから白く視認される。金属層２１は赤外光ＩＲを可視光同様に正反射するため、可視光ＶＬの場合と同様に黒灰色の領域として視認される。
【００２１】
図４（ｄ）に示される黒色紙１２及び斜交方向視の場合、可視光ＶＬによる観察では、黒地を背景に金属光沢の金属層２１の楕円形領域が視認される。赤外光ＩＲによる観察では、白地を背景に金属層２１は金属光沢の楕円形領域として視認される。
【００２２】
図５は、顔料墨層３１の見え方を示す。
図５（ａ）に示される白色紙１１かつ直交方向視の場合、可視光ＶＬ及び赤外光ＩＲの両方とも、白地を背景に黒色（クロスハッチング）の顔料墨層３１の円形領域が視認される。顔料墨インキは、カーボンブラックを含有して赤外光を吸収するため、顔料墨層３１は、赤外光ＩＲでも黒く視認される。
【００２３】
図５（ｂ）に示される白色紙１１かつ斜交方向視の場合、可視光ＶＬ及び赤外光ＩＲの両方とも、白地を背景に黒色（クロスハッチング）の顔料墨層３１の楕円形領域が視認される。
【００２４】
図５（ｃ）に示される黒色紙１２かつ直交方向視の場合、可視光ＶＬによる観察では、背景が黒地となるため、黒色の顔料墨層３１の領域は視認されない。
一方、赤外光ＩＲによる観察では、黒色紙１２が赤外光を反射することから白く視認されるため、白地を背景に顔料墨層３１は黒色の円形領域として視認される。
【００２５】
図５（ｄ）に示される黒色紙１２及び斜交方向視の場合、可視光ＶＬによる観察では、背景が黒地となるため、黒色の顔料墨層３１の領域は視認されない。
一方、赤外光ＩＲによる観察では、黒色紙１２が赤外光を反射することから白く視認されるため、白地を背景に顔料墨層３１は黒色の楕円形領域として視認される。
【００２６】
図６は、染料墨層４１の見え方を示す。
図６（ａ）に示される白色紙１１かつ直交方向視の場合、可視光ＶＬによる観察では、白地を背景に染料墨層４１は黒色の円形領域として視認される。
一方、赤外光ＩＲによる観察では、染料墨層４１は、染料墨インキが赤外光を透過するため透けて地の色の白色と同化し、領域として視認されない。
【００２７】
図６（ｂ）に示される白色紙１１かつ斜交方向視の場合、可視光ＶＬによる観察では、染料墨層４１は、白地を背景に黒色の楕円形領域として視認される。
一方、赤外光ＩＲによる観察では、染料墨層４１は、染料墨インキが赤外光を透過するため透けて地の色の白色と同化し、可視光ＶＬの場合と同様に領域として視認されない。
【００２８】
図６（ｃ）に示される黒色紙１２かつ直交方向視の場合、可視光ＶＬによる観察では、黒地が背景になるため、黒色の染料墨層４１の領域は同化して視認されない。
一方、赤外光ＩＲによる観察では、黒色紙１２が赤外光を反射することから白く視認され、染料墨層４１は赤外光ＩＲを透過するため背景の白地と同化し、領域として視認されない。
【００２９】
図６（ｄ）に示される黒色紙１２及び斜交方向視の場合、可視光ＶＬによる観察では、黒地が背景になるため、黒色の染料墨層４１の領域は視認されない。
一方、赤外光ＩＲによる観察では、黒色紙１２が赤外光を反射することから白く視認されるため、染料墨層４１は赤外光ＩＲと透過して背景の白地と同化し、領域として視認されない。
【００３０】
以上説明した金属層２１，顔料墨層３１，及び染料墨層４１の見え方を基に、図１及び図２に示される印刷体ＰＧの見え方を、図７（ａ）〜（ｄ）を参照して説明する。
基材１は、白色紙１１及び黒色紙１２の２種とし、いずれも赤外光ＩＲを吸収せずに反射するものとする。
観察は可視光ＶＬ及び赤外光ＩＲで行い、可視光ＶＬは肉眼により評価し、また赤外光ＩＲは赤外線撮像装置６により得た画像により評価する。
観察方向は、基材１の直交方向及び光源５からの光が印刷体ＰＧで正反射した場合にその正反射光を観察できる斜交方向とする。
図７（ａ）は、基材１が白色紙１１で、観察は直交方向である。
図７（ｂ）は、基材１が白色紙１１で、観察は斜交方向である。
図７（ｃ）は、基材１が黒色紙１２で、観察は直交方向である。
図７（ｄ）は、基材１が黒色紙１２で、観察は斜交方向である。
【００３１】
図７（ａ）において、可視光ＶＬによる観察では、白地を背景として、顔料墨層３及び染料墨層４のうちの最上に形成された部分が黒い領域として視認され、金属層２が露出している部分２ａが黒灰色の領域として視認される。従って、染料墨層４ａの突出部４ａ１は視認される。
赤外光ＩＲによる観察では、染料墨層４ｂが透けて、金属層２については、染料墨層４ｂで覆われている部分２ｂと元から露出している部分２ａとからなる部分２ｃが、黒灰色の領域として視認される。また、顔料墨層３は、黒色の矩形領域として視認される。すなわち、染料墨層４ａの突出部４ａ１は視認されない。
【００３２】
図７（ｂ）において、可視光ＶＬによる観察では、白地を背景として、顔料墨層３及び染料墨層４のうちの最上に形成された部分が黒い領域として視認され、金属層２が露出している部分２ａが金属光沢領域として視認される。従って、染料墨層４ａの突出部４ａ１は視認される。図７以降、金属光沢領域は太線で囲った領域として示す。
赤外光ＩＲによる観察では、染料墨層４ｂが透け、金属層２における染料墨層４ｂで覆われている部分２ｂと元から露出している部分２ａとからなる部分２ｃが、金属光沢領域として視認される。また、顔料墨層３は、黒色の矩形領域として視認される。すなわち、染料墨層４ａの突出部４ａ１は視認されない。
【００３３】
図８（ａ）において、可視光ＶＬによる観察では、黒地を背景として、顔料墨層３又は染料墨層４が形成された部分は、黒く背景と同化して実質的に視認されない。顔料墨層３又は染料墨層４が形成されてない金属層２が露出している部分２ａは、背景の黒色と僅かな濃度差の黒灰色の領域として視認される。
赤外光ＩＲによる観察では、染料墨層４は透け、かつ黒色紙１２は赤外光ＩＲを反射して白色で視認される。そのため、白色を背景として、顔料墨層３が黒い矩形領域として視認される。また、金属層２については、染料墨層４ｂで覆われている部分２ｂと元から露出している部分２ａとからなる部分２ｃが黒灰色の領域として視認される。染料墨層４ａの突出部４ａ１は視認されない。
【００３４】
図８（ｂ）において、可視光ＶＬによる観察では、黒地を背景として、顔料墨層３又は染料墨層４が形成された部分は、黒く背景と同化して実質的に視認されない。顔料墨層３又は染料墨層４が形成されてない金属層２が露出している部分２ａは、黒地を背景とする金属光沢領域として視認される。
赤外光ＩＲによる観察では、染料墨層４が透け、かつ黒色紙１２は赤外光ＩＲを反射して白色で視認される。そのため、白色を背景として、顔料墨層３１が黒い矩形領域として視認される。また、金属層２については、染料墨層４ｂで覆われている部分２ｂと元から露出している部分２ａとからなる部分２ｃが金属光沢領域として視認される。染料墨層４ａの突出部４ａ１は視認されない。
【００３５】
図９及び以上詳述したように、印刷体ＰＧは、基材１の色の白黒によらず、可視光ＶＬによる観察において視認不能で秘匿され、赤外線撮像装置６を用いた赤外光ＩＲによる観察において視認可能な、部分２ｂ及び部分３ａを有する。部分２ｂは、金属層２の上に染料墨層４が最上層として形成されている部分である。部分３ａは、顔料墨層３の上に染料墨層４が最上層として形成されている部分である。
また、部分２ｂ及び部分３ａは、染料墨層４が重畳形成されることによって生成される部分である。従って、秘匿部分２ｂ及び秘匿部分３ａの秘匿機能は、基材１の色によらず、白及び黒以外の他の色においても発揮される。
【００３６】
また、基材１の色が黒色の場合は、顔料墨層３における染料墨層４が重畳形成されていない部分３ｂも、可視光ＶＬによる観察では視認不能で秘匿され、赤外光ＩＲによる観察で視認可能となる。
また、印刷体ＰＧは、可視光ＶＬによる観察で、特定の角度において金属光沢領域として他領域に対し輝度が高く目立つ領域として視認され、他の角度において黒灰色として視認される部分２ａを有する。すなわち、部分２ａは、観察角度によって見え方の異なる領域となる。部分２ａは、金属層２が露出して形成されている部分である。
【００３７】
この見え方に基づき、以下、部分２ｂ及び部分３ａをそれぞれ秘匿部分２ｂ及び秘匿部分３ａとも称する。また、部分２ａを装飾部分２ａとも称する。また、基材１が白色の場合に可視光ＶＬによる観察で視認されると共に、基材１が黒色の場合に可視光ＶＬによる観察で秘匿され、かつ赤外光ＩＲによる観察で視認される顔料墨層３の部分３ｂを、準秘匿部分３ｂとも称する。
【００３８】
このように、印刷物ＰＴは、秘匿したい情報を、秘匿部分２ｂ，３ａ、或いは準秘匿部分３ｂに対応させて、秘匿部分２ｂ，３ａ、或いは準秘匿部分３ｂの形状を、秘匿したい情報が把握できるものとして印刷により形成する。
すなわち、基材１に、印刷体ＰＧにおける秘匿部分２ｂ，３ａ、或いは準秘匿部分３ｂを、赤外光ＩＲによる観察で秘匿情報が把握できるように形成し、装飾部分２ａを、可視光ＶＬによる観察で異なる見え方をする領域として形成する。
これにより、高い装飾性と秘匿性とを有する印刷物ＰＴが得られる。
印刷物ＰＴは、赤外光を感知する赤外線撮像装置６で観察することで、秘匿した情報を取り出すことができる。
【００３９】
図１０及び図１１は、印刷物ＰＴ及びその見え方の例として、エンタテインメント向けのカード７Ａ，７Ｂとその見え方を示している。
カード７Ａ，７Ｂは、白色，黒色の基材７１Ａ，７１Ｂそれぞれに、秘匿部分２ｂ，３ａ，及び装飾部分２ａを形成したものである。
基材７１Ａ，７１Ｂは、赤外光ＩＲを吸収せず反射する。
【００４０】
図１０（ａ）及び図１０（ｂ）は、基材７１の色が白色のカード７Ａの場合を示し、それぞれカード７Ａを上述の直交方向で及び斜交方向から観察した結果である。
図１１（ａ）及び図１１（ｂ）は、基材７１の色が黒色のカード７Ｂの場合を示し、それぞれカード７Ｂを上述の直交方向で及び斜交方向から観察した結果である。
【００４１】
カード７Ａ，７Ｂは、表面に、装飾部分２ａとして形成した文字「Ａ」なる図柄８と、秘匿部分２ｂとして形成した文字「Ｂ」の秘匿情報９及び秘匿部分３ａとして形成した記号「＋」の秘匿情報１０を有する。また、秘匿部分３ａは、菱形の染料墨層４１で隠蔽されている。
図１０及び図１１に示されるように、秘匿部分２ｂ，３ａ及び装飾部分２ａを有するカード７Ａ，７Ｂは、いずれも可視光ＶＬによる肉眼観察において、装飾部分２ａによる図柄８は視認され、秘匿部分２ｂ及び秘匿部分３ａによる秘匿情報９及び秘匿情報１０は視認されない。
一方、秘匿情報９，１０は、赤外線撮像装置６（図２）によって把握できる。また、図柄８は、少なくとも可視光ＶＬによる肉眼観察において、その観察角度に応じて異なる輝度で視認される。
【００４２】
このように、装飾部分２ａと、秘匿部分２ｂ及び秘匿部分３ａのいずれかと、を有する印刷体ＰＧが形成された印刷物ＰＴは、可視光ＶＬによる肉眼観察において高い装飾性と秘匿性とを有する。
【００４３】
印刷物ＰＴは、例えば、次のような用途及び仕様で製造することができる。
【００４４】
（カードゲームのカード）
印刷物ＰＴをカードゲームのカードとする。このカードにはキャラクタを印刷しておく。キャラクタは、観察角度によって、異なる携帯品を身につけていると視認されるように、装飾部分２ａを適宜レイアウトして印刷形成しておく。
一方で、カードに、ゲームの勝敗を判定するための強さを示す数値を秘匿部分２ｂ，３ａにより秘匿情報として印刷形成しておく。対戦相手とのカードの競り合いにおいて、赤外線撮像装置によりそれぞれのカードの強さを示す数値を読み取り勝敗を判定する。
【００４５】
（商品タグ）
印刷物ＰＴを商品タグとする。この商品タグには、装飾部分２ａにより観察角度によって異なる見え方をする図柄を印刷形成しておく。
一方で、商品タグに、秘匿部分２ｂ，３ａにより商品管理上のバーコードを秘匿情報として印刷形成しておく。
これにより、通常の目視ではバーコードが見えないため装飾性の高いタグのデザインが採用でき買い物客の購買意欲を高められる。バーコードは、レジにおいて赤外線バーコードリーダにより読み取る。
【００４６】
（ダイレクトメール）
印刷物ＰＴをダイレクトメールのはがきとする。このはがきには、装飾部分２ａにより、はがき持参で来店時に、景品引き換え及びくじ引きが可能である旨を印刷形成しておく。
一方で、秘匿部分２ｂ，３ａにより来店での引換え可能な景品名及び当選等級などを秘匿情報として印刷形成しておく。秘匿情報は、店頭の赤外線バーコードリーダで読み取る。
これにより、利用者は高額景品及び上位等級での当選が期待され来店意欲が増す。
【００４７】
実施例１における染料墨層４と染料墨層４ｂとは、分離独立した層として形成されてなくてもよく、一体の層として形成されていてもよい。また、実施例２における染料墨層４Ｂａと染料墨層４Ｂｂとは、分離独立した層として形成されてなくてもよく、一体の層として形成されていてもよい。
【００４８】
（実施例２）
図１２及び図１２におけるＳ１３−Ｓ１３位置での断面図である図１３に示されるように、実施例２の印刷物ＰＴＢは、基材１Ｂと、基材１Ｂの上に形成された印刷体ＰＧＢとを有する。印刷体ＰＧＢは、金属層２Ｂと顔料墨層３Ｂと染料墨層４Ｂとを有する。
基材１Ｂ，金属層２Ｂ，顔料墨層３Ｂ，及び染料墨層４Ｂは、それぞれ実施例１の基材１，金属層２，顔料墨層３，及び染料墨層４と同じ材料であって、可視光及び赤外光に対し同じ特性を有する。印刷物ＰＴＢは、印刷物ＰＴに対し、各層の形成領域が異なり、顔料墨層と染料墨層との積層順が異なるものである。
【００４９】
印刷体ＰＧＢにおいて、金属層２Ｂは、矩形形状の部分２Ｂａと、部分２Ｂａに接続した矩形形状及び略三角形状からなる２Ｂｂと、により、基材１Ｂの表面１Ｂａ上に野球のホームベース状に形成されている。
染料墨層４Ｂは、染料墨層４Ｂａと染料墨層４Ｂｂとの二つの領域として形成されている。
以下、染料墨層４Ｂｂを第３の透過墨層とも称し、染料墨層４Ｂａを第４の透過墨層とも称する。
染料墨層４Ｂｂは、基材１Ｂの上と金属層２Ｂの部分２Ｂｂの上とに跨って矩形形状に形成されている。すなわち、部分層２Ｂｂは染料墨層４Ｂａに覆われた部分である。
染料墨層４Ｂａは、染料墨層４Ｂｂ及び金属層２Ｂの部分２Ｂａを囲むベタ部分として、基材１Ｂの上に形成されている。
顔料墨層３Ｂは、染料墨層４Ｂａの上に円形形状で積層して形成されている。
以下、顔料墨層３Ｂを第２の吸収墨層とも称する。
【００５０】
図１４及び図１５は、印刷体ＰＧＢの、可視光ＶＬによる観察と赤外光ＩＲによる観察とでの見え方の違いを説明する図である。観察方法は実施例１と同じであり、基材１Ｂの色及び観察方向も実施例１と同じであって次の通りである。
図１４（ａ）は、基材１Ｂが白色紙１１Ｂで、観察は直交方向である。
図１４（ｂ）は、基材１Ｂが白色紙１１Ｂで、観察は斜交方向である。
図１５（ａ）は、基材１Ｂが黒色紙１２Ｂで、観察は直交方向である。
図１５（ｂ）は、基材１Ｂが黒色紙１２Ｂで、観察は斜交方向である。
【００５１】
図１４（ａ）において、可視光ＶＬによる観察では、染料墨層４Ｂとしての染料墨層４Ｂａ，４Ｂｂが形成された範囲が黒い領域として視認され、金属層２Ｂにおいて露出している部分２Ｂａが黒灰色の領域として視認される。
赤外光ＩＲによる観察では、染料墨層４Ｂが透け、金属層２Ｂにおいて染料墨層４Ｂｂで覆われている部分２Ｂｂと露出している部分２Ｂａとからなる部分２Ｂｃが、黒灰色の領域として視認される。また、顔料墨層３Ｂは、赤外光ＩＲを吸収し黒色で円形の部分３Ｂａとして視認される。
【００５２】
図１４（ｂ）において、可視光ＶＬによる観察では、染料墨層４Ｂが形成されている部分が黒色として視認され、金属層２の露出している部分２Ｂａが、入射光が全反射した金属光沢領域として視認される。
赤外光ＩＲでは、染料墨層４Ｂが透け、金属層２Ｂにおける染料墨層４Ｂｂで覆われている部分２Ｂｂと露出している部分２Ｂａとからなる部分２Ｂｃが、金属光沢領域として視認される。また、顔料墨層３Ｂは、赤外光ＩＲを吸収し黒色で円形の部分３Ｂａとして視認される。
【００５３】
図１５（ａ）において、可視光ＶＬによる観察では、染料墨層４Ｂが形成されている部分が、黒色紙１２Ｂの地の部分と共に黒色で視認される。
金属層２Ｂは、染料墨層４Ｂに覆われずに露出している部分２Ｂａが黒灰色の領域として視認される。
赤外光ＩＲによる観察では、染料墨層４Ｂのうちの、黒色紙１２Ｂ上に形成され、かつ顔料墨層３Ｂが上に積層形成されていない部分は、染料墨層４Ｂが透け黒色の黒色紙１２Ｂが赤外光ＩＲを反射するため白色で視認される。
一方、染料墨層４Ｂが透けることで、金属層２Ｂは、露出した部分２Ｂａと染料墨層４Ｂに覆われた部分２Ｂｂとを合わせた部分２Ｂｃが黒灰色で視認される。また、顔料墨層３Ｂは、黒色で円形の部分３Ｂａとして視認される。
【００５４】
図１５（ｂ）において、可視光ＶＬによる観察では、染料墨層４Ｂが形成された部分が、黒色紙１２Ｂの地の部分と共に黒色で視認される。
金属層２Ｂは、染料墨層４Ｂに覆われずに露出している部分２Ｂａが黒地を背景とする金属光沢領域として視認される。
赤外光ＩＲによる観察では、染料墨層４Ｂは透け、染料墨層４Ｂのうちの、黒色紙１２Ｂ上に形成され、かつ顔料墨層３Ｂが上に積層形成されていない部分は、可視光ＶＬの場合と同様に白色で視認される。
一方、金属層２Ｂは、部分２Ｂｃが白地を背景とする金属光沢領域として視認される。また、顔料墨層３Ｂは、黒色で円形の部分３Ｂａとして視認される。
【００５５】
図１４及び図１５に示されるように、印刷体ＰＧＢには、基材１Ｂの色の白黒によらず、可視光ＶＬによる観察では視認されず赤外光ＩＲによる観察で視認される領域が存在する。
その領域は、図１６に示されるように、顔料墨層３Ｂの部分３Ｂａ及び金属層２Ｂの染料墨層４Ｂｂで覆われた部分２Ｂｂである。この部分３Ｂａ及び部分２Ｂｂを、それぞれ秘匿部分３Ｂａ及び秘匿部分２Ｂｂとも称する。
すなわち、印刷物ＰＴＢにおいて、基材１Ｂに対し、可視光ＶＬによる観察で秘匿したい情報を、秘匿部分３Ｂａ及び秘匿部分２Ｂｂのいずれかで形成することにより、その秘匿したい情報は、可視光ＶＬによる観察で視認されず秘匿される一方、赤外光ＩＲによる観察で視認され取得可能となる。
また、印刷物ＰＴＢは、観察角度によって金属光沢領域が視認されるので高い装飾性を有する。
【００５６】
（実施例３）
図１７及び図１７におけるＳ１８−Ｓ１８位置での断面図である図１８に示されるように、実施例３の印刷物ＰＴＣは、基材１Ｃと、基材１Ｃ上に形成された印刷体ＰＧＣとを有する。印刷体ＰＧＢは、金属層２Ｃと顔料墨層３Ｃと染料墨層４Ｃとを有する。
基材１Ｃ，金属層２Ｃ，顔料墨層３Ｃ，及び染料墨層４Ｃは、それぞれ実施例１の基材１，金属層２，顔料墨層３，及び染料墨層４と同じ材料であって、可視光及び赤外光に対し同じ特性を有する。印刷物ＰＴＣは、印刷物ＰＴに対し、各層の形成領域が異なり、顔料墨層と染料墨層との積層順が異なるものである。また、印刷物ＰＴＣは、実施例２の印刷物ＰＴＢに対し、各層の形成領域が異なり、顔料墨層と染料墨層との積層順は同じである。
【００５７】
印刷体ＰＧＣにおいて、金属層２Ｃは、基材１Ｃの表面１Ｃａ上に矩形形状で形成されている。染料墨層４Ｃは、矩形形状と半円形状とが組み合わされた形状を呈し、表面１Ｃａと金属層２Ｃの上面とに跨って形成されている。詳しくは、半円形状の部分は金属層２Ｃ上に形成され、矩形形状の部分が金属層２Ｃと基材１Ｃとに跨って形成されている。以下、染料墨層４Ｃを第３の透過墨層とも称する。
顔料墨層３Ｃは、染料墨層４Ｃの上に、染料墨層４Ｃよりも小さい二等辺三角形状の領域として、基材１Ｃと金属層２Ｃとに跨る位置に形成されている。
以下、顔料墨層３Ｃを、第２の吸収墨層とも称する。
【００５８】
図１９及び図２０は、印刷体ＰＧＣの、可視光ＶＬによる観察と赤外光ＩＲによる観察とでの見え方の違いを説明する図である。観察方法は実施例と同じであり、基材１Ｃの色及び観察方向も実施例１と同じであって次の通りである。
図１９（ａ）は、基材１Ｃが白色紙１１Ｃで、観察は直交方向である。
図１９（ｂ）は、基材１Ｃが白色紙１１Ｃで、観察は斜交方向である。
図２０（ａ）は、基材１Ｃが黒色紙１２Ｃで、観察は直交方向である。
図２０（ｂ）は、基材１Ｃが黒色紙１２Ｃで、観察は斜交方向である。
【００５９】
図１９（ａ）において、可視光ＶＬによる観察では、染料墨層４Ｃが形成された範囲が黒い領域として視認され、金属層２Ｃの露出している部分２Ｃａは黒灰色の領域として視認される。
赤外光ＩＲによる観察では、染料墨層４Ｃが透け、金属層２Ｃにおいて、上方が染料墨層４Ｃのみに覆われている部分２Ｃｂと元から露出している部分２Ｃａとからなる部分２Ｃｃが、黒灰色の領域として視認される。また、顔料墨層３Ｃは黒い領域として視認される。
【００６０】
図１９（ｂ）において、可視光ＶＬによる観察では、染料墨層４Ｃが形成された範囲が黒い領域として視認され、部分２Ｃａは白地を背景とする金属光沢領域として視認される。
赤外光ＩＲによる観察では、染料墨層４Ｃが透け、金属層２Ｃにおける部分２Ｃｃが白地を背景とする金属光沢領域として視認される。
また、顔料墨層３Ｃは黒い領域として視認される。
【００６１】
図２０（ａ）において、可視光ＶＬによる観察では、染料墨層４Ｃが形成された範囲が基材１Ｃの地の部分と共に黒色で視認される。
金属層２Ｃにおける部分２Ｃｃは、黒灰色の領域として視認される。
赤外光ＩＲでは、染料墨層４Ｃは透け、染料墨層４Ｃのうちの、黒色紙１２Ｃの上に形成された部分は、黒色紙１２Ｃが赤外光ＩＲを反射するため、黒色紙１２Ｃと同化して白色で視認される。染料墨層４Ｃのうちの金属層２Ｃの上に形成された部分２Ｃｂは、黒灰色の領域として視認される。
金属層２Ｃは、染料墨層４Ｃが形成されずに露出した部分２Ｃａが、黒灰色で視認される。また、顔料墨層３Ｃは、黒い領域として視認される。
【００６２】
図２０（ｂ）において、可視光ＶＬでは、染料墨層４Ｃの形成された範囲が基材１Ｃの地の部分と共に黒色で視認される。
金属層２Ｃは、部分２Ｃａが金属光沢領域として視認される。
赤外光ＩＲによる観察では、染料墨層４Ｃが透け、金属層２Ｃにおいて、染料墨層４Ｃのみに覆われている部分２Ｃｂと元から露出している部分２Ｃａとからなる部分２Ｃｃが、金属光沢領域として視認される。また、顔料墨層３Ｃは、黒い領域として視認される。
【００６３】
図１９及び図２０に示されるように、印刷体ＰＧＣには、基材１Ｃの色の白黒によらず、可視光ＶＬによる観察では視認されず赤外光ＩＲによる観察で視認される領域が存在する。
その領域は、図２１に示されるように、金属層２Ｃのうちの染料墨層４Ｃにのみ覆われた部分２Ｃｂである。この部分２Ｃｂを秘匿部分２Ｃｂとも称する。
すなわち、印刷物ＰＴＣにおいて、基材１Ｃに対し、可視光ＶＬによる観察で秘匿したい情報を、秘匿部分２Ｃｂで形成することにより、その秘匿したい情報は、可視光ＶＬによる観察で視認されず秘匿される一方、赤外光ＩＲによる観察で視認され取得可能となる。
また、印刷物ＰＴＣは、観察角度によって金属光沢領域が視認されるので高い装飾性を有する。
【００６４】
上述の印刷物の製造方法及びそれにより得られた印刷物ＰＴ，ＰＴＢ，ＰＴＣによれば、印刷物に高い装飾性と情報秘匿性との両方を簡単な構成及び手順で付与することができる。
【００６５】
実施例１〜３は、上述の構成及び手順に限定されるものではなく、本発明の要旨を逸脱しない範囲において変形例としてもよい。
【００６６】
実施例１における染料墨層４ａと染料墨層４ｂとは、分離独立した層として形成されてなくてもよく、一体の層として形成されていてもよい。
実施例２における染料墨層４Ｂａと染料墨層４Ｂｂとは、分離独立した層として形成されてなくてもよく、一体の層として形成されていてもよい。
実施例１〜３において、顔料墨層３，３Ｂ，３Ｃ及び染料墨層４，４Ｂ，４Ｃを印刷により形成する方法及び印刷機の種類は限定されない。
実施例１〜３それぞれの染料墨層４，４Ｂ，４Ｃにおいて、最上となる範囲には、赤外光を透過するインキによる別の印刷層を重畳形成してもよい。これらの場合も、実施例１〜３それぞれの印刷物ＰＴ，ＰＴＢ，ＰＴＣで得られる効果と同様の効果が得られる。
【００６７】
基材１，１Ｂ，１Ｃの材質は、赤外光ＩＲを反射するものであれば紙に限定されず、樹脂、金属フィルムなどの他の材質でもよい。
金属層２，２Ｂ，２Ｃを印刷で形成する方法は、光沢のある層を形成できる印刷方法であれば限定されない。
例えば、金属粉末を含有する金属インキを、オフセット印刷，フレキソ印刷，
グラビア印刷，シルクスクリーン印刷，或いはインクジェット印刷などの印刷方法で印刷することで、光沢層としての金属層２，２Ｂ，２Ｃを形成できる。
また、金属層２，２Ｂ，２Ｃは、印刷機ではなく、電着方式による金属インキのパターン形成、金属インキをベタ塗りした後のレーザアブレイションでのパターン形成或いはレジストマスクを使ったエッチングでのパターン形成、などにより形成してもよい。
【符号の説明】
【００６８】
１，７１Ａ，７１Ｂ，１Ｂ，１Ｃ  基材
１ａ，１Ｂａ，１Ｃａ  表面
１１，１１Ｂ，１１Ｃ  白色紙
１２，１２Ｂ，１２Ｃ  黒色紙
２，２１，２Ｂ，２Ｃ  金属層
２ａ，２Ｂａ，２Ｃａ  部分（装飾部分）
２ｂ，２Ｂｂ，２Ｃｂ  部分（秘匿部分）
２ｃ，２Ｂｃ，２Ｃｃ  部分
３，３Ｂ，３Ｃ  顔料墨層
３１  顔料墨層
３ａ，３Ｂａ  部分（秘匿部分）
３ｂ  部分（準秘匿部分）
４，４ａ，４ｂ，４１，４Ｂ，４Ｂａ，４Ｂｂ，４Ｃ  染料墨層
４ａ１  突出部
５  光源
６  赤外線撮像装置
７Ａ，７Ｂ  カード
８  図柄
９，１０  秘匿情報
θ  角度
ＩＲ  赤外光
ＰＧ，ＰＧＢ，ＰＧＣ  印刷体
ＰＴ，ＰＴＢ，ＰＴＣ  印刷物
ＶＬ  可視光
【図１】
2020082454.tif 000003
【図２】
2020082454.tif 000004
【図３】
2020082454.tif 000005
【図４】
2020082454.tif 000006
【図５】
2020082454.tif 000007
【図６】
2020082454.tif 000008
【図７】
2020082454.tif 000009
【図８】
2020082454.tif 000010
【図９】
2020082454.tif 000011
【図１０】
2020082454.tif 000012
【図１１】
2020082454.tif 000013
【図１２】
2020082454.tif 000014
【図１３】
2020082454.tif 000015
【図１４】
2020082454.tif 000016
【図１５】
2020082454.tif 000017
【図１６】
2020082454.tif 000018
【図１７】
2020082454.tif 000019
【図１８】
2020082454.tif 000020
【図１９】
2020082454.tif 000021
【図２０】
2020082454.tif 000022
【図２１】
2020082454.tif 000023
【手続補正書】
【提出日】平成31年3月4日(2019.3.4)
【手続補正１】
【補正対象書類名】明細書
【補正対象項目名】０００６
【補正方法】変更
【補正の内容】
【０００６】
上記の課題を解決するために、本発明は次の構成、手順を有する。
１）  赤外光を反射する基材と、
前記基材の上に形成された金属層と、
前記基材の上に形成され赤外光を吸収する第１の吸収墨層と、
前記第１の吸収墨層の少なくとも一部を覆って形成された赤外光を透過する第１の透過墨層及び前記金属層の一部を覆って形成された赤外光を透過する第２の透過墨層の少なくとも一方と、
を有し、
前記金属層は、外部に露出した装飾部分と前記第２の透過墨層で覆われた秘匿部分とを有し、
前記第１の吸収墨層における前記第１の透過墨層で覆われた部分又は前記金属層における前記秘匿部分が、可視光による観察で視認不能かつ赤外光による観察で視認可能であり、
前記金属層における前記装飾部分が、可視光による観察で、観察角度によって前記基材に対し金属光沢領域として視認される、
印刷物である。
２）  前記第１の透過墨層及び前記第２の透過墨層の両方を一体の層として備えていることを特徴とする１）に記載の印刷物である。
３）  赤外光を反射する基材と、
前記基材の上に形成された金属層と、
前記金属層の一部を覆って形成された、赤外光を透過する第３の透過墨層と、
前記基材の上に形成された、赤外光を透過する第４の透過墨層と、
前記第４の透過墨層の上に形成された赤外光を吸収する第２の吸収墨層と、
を有し、
前記金属層は、外部に露出した装飾部分と前記第３の透過墨層のみで覆われた秘匿部分とを有し、
前記金属層における前記秘匿部分が、可視光による観察で視認不能かつ赤外光による観察で視認可能であり、
前記金属層における前記装飾部分が、可視光による観察で、観察角度によって前記基材に対し金属光沢領域として視認される、
印刷物である。
４）  前記第３の透過墨層及び前記第４の透過墨層の両方を一体の層として備えていることを特徴とする３）に記載の印刷物である。
５）  赤外光を反射する基材と、
前記基材の上に形成された金属層と、
前記金属層の一部を覆って形成された、赤外光を透過する第３の透過墨層と、
前記第３の透過墨層の上に形成された赤外光を吸収する第２の吸収墨層と、
を有し、
前記金属層は、外部に露出した装飾部分と前記第３の透過墨層のみで覆われた秘匿部分とを有し、
前記金属層における前記秘匿部分が、可視光による観察で視認不能かつ赤外光による観察で視認可能であり、
前記金属層における前記装飾部分が、可視光による観察で、観察角度によって前記基材に対し金属光沢領域として視認される、
印刷物である。
６）  前記秘匿部分が秘匿情報に対応した形状に形成されていることを特徴とする１），３），５）のいずれか１つに記載の印刷物である。
７）  赤外光を反射する基材の上に、金属層と赤外光を吸収する吸収墨層とを形成し、
前記金属層の一部及び前記吸収墨層の少なくとも一部を覆うように赤外光を透過する透過墨層を形成すると共に、前記金属層の一部を除く部分に外部に露出した装飾部を形成し、
前記透過墨層を形成するときに、前記透過墨層が前記金属層を覆う部分及び前記吸収墨層を覆う部分を、秘匿情報に対応した形状で形成することを特徴とする印刷物の製造方法である。
８）  赤外光を反射する基材の上に金属層を形成し、
前記金属層の一部を覆うように赤外光を透過する透過墨層を形成すると共に、前記金属層の一部を除く部分に外部に露出した装飾部を形成し、
前記透過墨層の上に赤外光を吸収する吸収墨層を形成し、
前記透過墨層を形成するときに、前記金属層の上方を前記透過墨層のみで覆う部分を秘匿情報に対応した形状で形成することを特徴とする印刷物の製造方法である。
【手続補正２】
【補正対象書類名】特許請求の範囲
【補正対象項目名】全文
【補正方法】変更
【補正の内容】
【特許請求の範囲】
【請求項１】
赤外光を反射する基材と、
前記基材の上に形成された金属層と、
前記基材の上に形成され赤外光を吸収する第１の吸収墨層と、
前記第１の吸収墨層の少なくとも一部を覆って形成された赤外光を透過する第１の透過墨層及び前記金属層の一部を覆って形成された赤外光を透過する第２の透過墨層の少なくとも一方と、
を有し、
前記金属層は、外部に露出した装飾部分と前記第２の透過墨層で覆われた秘匿部分とを有し、
前記第１の吸収墨層における前記第１の透過墨層で覆われた部分又は前記金属層における前記秘匿部分が、可視光による観察で視認不能かつ赤外光による観察で視認可能であり、
前記金属層における前記装飾部分が、可視光による観察で、観察角度によって前記基材に対し金属光沢領域として視認される、
印刷物。
【請求項２】
前記第１の透過墨層及び前記第２の透過墨層の両方を一体の層として備えていることを特徴とする請求項１記載の印刷物。
【請求項３】
赤外光を反射する基材と、
前記基材の上に形成された金属層と、
前記金属層の一部を覆って形成された、赤外光を透過する第３の透過墨層と、
前記基材の上に形成された、赤外光を透過する第４の透過墨層と、
前記第４の透過墨層の上に形成された赤外光を吸収する第２の吸収墨層と、
を有し、
前記金属層は、外部に露出した装飾部分と前記第３の透過墨層のみで覆われた秘匿部分とを有し、
前記金属層における前記秘匿部分が、可視光による観察で視認不能かつ赤外光による観察で視認可能であり、
前記金属層における前記装飾部分が、可視光による観察で、観察角度によって前記基材に対し金属光沢領域として視認される、
印刷物。
【請求項４】
前記第３の透過墨層及び前記第４の透過墨層の両方を一体の層として備えていることを特徴とする請求項３記載の印刷物。
【請求項５】
赤外光を反射する基材と、
前記基材の上に形成された金属層と、
前記金属層の一部を覆って形成された、赤外光を透過する第３の透過墨層と、
前記第３の透過墨層の上に形成された赤外光を吸収する第２の吸収墨層と、
を有し、
前記金属層は、外部に露出した装飾部分と前記第３の透過墨層のみで覆われた秘匿部分とを有し、
前記金属層における前記秘匿部分が、可視光による観察で視認不能かつ赤外光による観察で視認可能であり、
前記金属層における前記装飾部分が、可視光による観察で、観察角度によって前記基材に対し金属光沢領域として視認される、
印刷物。
【請求項６】
前記秘匿部分が秘匿情報に対応した形状に形成されていることを特徴とする請求項１，３，５のいずれか１項に記載の印刷物。
【請求項７】
赤外光を反射する基材の上に、金属層と赤外光を吸収する吸収墨層とを形成し、
前記金属層の一部及び前記吸収墨層の少なくとも一部を覆うように赤外光を透過する透過墨層を形成すると共に、前記金属層の一部を除く部分に外部に露出した装飾部を形成し、
前記透過墨層を形成するときに、前記透過墨層が前記金属層を覆う部分及び前記吸収墨層を覆う部分を、秘匿情報に対応した形状で形成することを特徴とする印刷物の製造方法。
【請求項８】
赤外光を反射する基材の上に金属層を形成し、
前記金属層の一部を覆うように赤外光を透過する透過墨層を形成すると共に、前記金属層の一部を除く部分に外部に露出した装飾部を形成し、
前記透過墨層の上に赤外光を吸収する吸収墨層を形成し、
前記透過墨層を形成するときに、前記金属層の上方を前記透過墨層のみで覆う部分を秘匿情報に対応した形状で形成することを特徴とする印刷物の製造方法。